(57)【特許請求の範囲】
【請求項１】
着用者の胸部中心部分から脇下部分にわたって左右に位置し、前記着用者の左側乳房および右側乳房をそれぞれ覆って支持する左カップ部および右カップ部を有し前記両カップ部が前記胸部中心部分側で連結されたカップ部を有する衣類であって、
前記左カップ部の裏面側で前記左側乳房に直に接して前記左側乳房を下方から支持し上方に持ち上げるとともに、一端部である固定部が、前記左カップ部の前記胸部中心部分側に固定され、他端部である着脱部が、前記左カップ部の前記脇下部分側に設けた受け部に対して、前記左側乳房を下方から支持し上方に持ち上げる度合を調節自在でかつ着脱自在に固定される左支持部材と、
前記右カップ部の裏面側で前記右側乳房に直に接して前記右側乳房を下方から支持し上方に持ち上げるとともに、一端部である固定部が、前記右カップ部の前記胸部中心部分側に固定され、他端部である着脱部が、前記右カップ部の前記脇下部分側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、
前記受け部に対する前記着脱部の固定位置を縦方向にかえることができるようにしたことを特徴とするカップ部を有する衣類。
【請求項２】
前記受け部は、前記カップ部の表面側又は前記カップ部の端部に延在されたサイドベルトの表面側に設けられ、
前記左支持部材および前記右支持部材の着脱部は、前記カップ部の端部側に形成された第１スリットを通って前記カップ部の裏面側から表面側に突出して、前記受け部に固定されることを特徴とする請求項１に記載のカップ部を有する衣類。
【請求項３】
前記左支持部材および前記右支持部材の固定部は、前記カップ部の裏面側における前記胸部中心部分側に固定されることを特徴とする請求項１又は２に記載のカップ部を有する衣類。
【請求項４】
前記左支持部材および前記右支持部材の固定部は、前記カップ部の前記胸部中心部分側に形成された第２スリットを通って前記カップ部の裏面側から表面側に突出して、前記胸部中心部分側に固定されることを特徴とする請求項１又は２に記載のカップ部を有する衣類。
【請求項５】
着用者の胸部中心部分から脇下部分にわたって左右に位置し、前記着用者の左側乳房および右側乳房をそれぞれ覆って支持する左カップ部および右カップ部を有し前記両カップ部が前記胸部中心部分側で連結されたカップ部を有する衣類であって、
前記左カップ部の裏面側で前記左側乳房に直に接して前記左側乳房を下方から支持し上方に持ち上げるとともに、一端部である固定部が、前記左カップ部の前記脇下部分側に固定され、他端部である着脱部が、前記左カップ部の前記胸部中心部分側に設けた受け部に対して、前記左側乳房を下方から支持し上方に持ち上げる度合を調節自在でかつ着脱自在に固定される左支持部材と、
前記右カップ部の裏面側で前記右側乳房に直に接して前記右側乳房を下方から支持し上方に持ち上げるとともに、一端部である固定部が、前記右カップ部の前記脇下部分側に固定され、他端部である着脱部が、前記右カップ部の前記胸部中心部分側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、
前記受け部に対する前記着脱部の固定位置を縦方向にかえることができるようにしたことを特徴とするカップ部を有する衣類。
【請求項６】
着用者の胸部中心部分から脇下部分にわたって左右に位置し、前記着用者の左側乳房および右側乳房をそれぞれ覆って支持する左カップ部および右カップ部を有し前記両カップ部が前記胸部中心部分側で連結されたブラジャーであって、
前記左カップ部の表面側に接して前記左側乳房を下方から支持し上方に持ち上げるとともに、一端部である固定部が、前記左カップ部の前記脇下部分側に固定され、他端部である着脱部が、前記左カップ部の前記胸部中心部分側に設けた受け部に対して、前記左側乳房を下方から支持し上方に持ち上げる度合を調節自在でかつ着脱自在に固定される左支持部材と、
前記右カップ部の表面側に接して前記右側乳房を下方から支持し上方に持ち上げるとともに、一端部である固定部が、前記右カップ部の前記脇下部分側に固定され、他端部である着脱部が、前記右カップ部の前記胸部中心部分側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、前記受け部に対する前記着脱部の固定を開放した場合、前記紐片は前記固定部を除いて前記両カップ部に拘束されることなくかつ垂れるような状態で分離したものであり、
前記受け部に対する前記着脱部の固定位置を縦方向にかえることができるようにしたことを特徴とするカップ部を有する衣類。
【請求項７】
着用者の胸部中心部分から脇下部分にわたって左右に位置し、前記着用者の左側乳房および右側乳房をそれぞれ覆って支持する左カップ部および右カップ部を有し前記両カップ部が前記胸部中心部分側で連結されたカップ本体が、前身頃の内側でかつ前身頃から分離し前記カップ部の両側面側が前身頃と後見頃の繋ぎ目付近に取付けられたカップ部を有する衣類であって、
前記前身頃と前記左カップ部の間で前記左カップ部の表面側に接して前記左側乳房を下方から支持し上方に持ち上げるとともに、一端部である固定部が、前記左カップ部の前記胸部中心部分側又は前記脇下部分側に固定され、他端部である着脱部が、前記左カップ部の前記脇下部分側又は前記胸部中心部分側で、前記固定部が固定されていない側に設けた受け部に対して、前記左側乳房を下方から支持し上方に持ち上げる度合を調節自在でかつ着脱自在に固定される左支持部材と、
前記前身頃と前記右カップ部の間で前記右カップ部の表面側に接して前記右側乳房を下方から支持し上方に持ち上げるとともに、一端部である固定部が、前記右カップ部の前記胸部中心部分側又は前記脇下部分側に固定され、他端部である着脱部が、前記右カップ部の前記脇下部分側又は前記胸部中心部分側で、前記固定部が固定されていない側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、前記受け部に対する前記着脱部の固定を開放した場合、前記紐片は前記固定部を除いて前記両カップ部に拘束されることなくかつ垂れるような状態で分離したものであり、
前記受け部に対する前記着脱部の固定位置を縦方向にかえることができるようにしたことを特徴とするカップ部を有する衣類。
【請求項８】
着用者の胸部中心部分から脇下部分にわたって左右に位置し、前記着用者の左側乳房および右側乳房をそれぞれ覆って支持する左カップ部および右カップ部を有し前記両カップ部が前記胸部中心部分側で連結されたカップ本体が、前身頃の内側でかつ前身頃から分離し前記カップ部の両側面側が前身頃と後見頃の繋ぎ目付近に取付けられたカップ部を有する衣類であって、
前記前身頃と前記左カップ部の間で前記左カップ部の表面側に接して前記左側乳房を下方から支持し上方に持ち上げるとともに、一端部である固定部が、前記左カップ部の前記胸部中心部分側又は前記脇下部分側に固定され、他端部である着脱部が、前記左カップ部の前記脇下部分側又は前記胸部中心部分側で、前記固定部が固定されていない側に設けた受け部に対して、前記左側乳房を下方から支持し上方に持ち上げる度合を調節自在でかつ着脱自在に固定される左支持部材と、
前記前身頃と前記右カップ部の間で前記右カップ部の表面側に接して前記右側乳房を下方から支持し上方に持ち上げるとともに、一端部である固定部が、前記右カップ部の前記胸部中心部分側又は前記脇下部分側に固定され、他端部である着脱部が、前記右カップ部の前記脇下部分側又は前記胸部中心部分側で、前記固定部が固定されていない側に設けた受け部に対して、前記右側乳房を下方から支持し上方に持ち上げる度合を調節自在でかつ着脱自在に固定される右支持部材を備え、
前記左支持部材および前記右支持部材を、前記左カップ部の下方および前記右カップ部の下方の輪郭に対応した湾曲形状の硬質片で形成したことを特徴とするカップ部を有する衣類。
【請求項９】
着用者の胸部中心部分から脇下部分にわたって左右に位置し、前記着用者の左側乳房および右側乳房をそれぞれ覆って支持する左カップ部および右カップ部を有し前記両カップ部が前記胸部中心部分側で連結されたカップ本体が、前身頃の内側でかつ前身頃から分離し前記カップ部の両側面側が前身頃と後見頃の繋ぎ目付近に取付けられたカップ部を有する衣類であって、
一端部である固定部が、前記左カップ部の前記胸部中心部分側又は前記脇下部分側に固定され、他端部である着脱部が、前記左カップ部の前記脇下部分側又は前記胸部中心部分側で、前記固定部が固定されていない側に設けた受け部に対して、前記左側乳房を下方から支持し上方に持ち上げる度合を調節自在でかつ着脱自在に固定される左支持部材と、
一端部である固定部が、前記右カップ部の前記胸部中心部分側又は前記脇下部分側に固定され、他端部である着脱部が、前記右カップ部の前記脇下部分側又は前記胸部中心部分側で、前記固定部が固定されていない側に設けた受け部に対して、前記右側乳房を下方から支持し上方に持ち上げる度合を調節自在でかつ着脱自在に固定される右支持部材を備え、
前記左カップ部と、前記左支持部材の前記着脱部を除く部分を一体化し、前記左支持部材を前記左カップ部よりも弾力のある弾性材で形成し、
前記右カップ部と、前記右支持部材の前記着脱部を除く部分を一体化し、前記右支持部材を前記右カップ部よりも弾力のある弾性材で形成したことを特徴とするカップ部を有する衣類。
【発明の詳細な説明】
【技術分野】
【０００１】
本発明は、着用者の乳房を、確実に、下から調節自在に支持し、上方に持ち上げることができるブラジャーなどのカップ部を有する衣類に関するものである。
【背景技術】
【０００２】
乳房を支持するための製品としてブラジャーが使用される。このブラジャーは、一般に、左右のカップと、左右のカップの端部に接続された左右のサイドベルトと、左右のカップの上端部と左右のサイドベルトの略端部とを接続する左右の肩紐とで構成される。
【０００３】
こうしたブラジャーには、着用者の胸回りの寸法に応じた調整ができるように、左右のサイドベルトの一方に第一フックを設け、サイドベルトの他方に第二フックを水平方向に複数設け、第一フックを複数の第二フックの一つに係止させる構造を備える。
こうしたブラジャーは、胸回りの調整はできるが、上方への調整を行うことはできない。
【０００４】
一方で、上方への調整を行う手段を有するブラジャーとして、肩紐の長さを調節できるものや（例えば、特許文献１参照）、カップと肩紐間を吊り紐で繋いで長さを調節することができるようにしたもの（例えば、特許文献２参照）が開示されている。
【先行技術文献】
【特許文献】
【０００５】
【特許文献１】実開昭４８−１１２５２４号公報
【特許文献２】特開２０１７−１９０５５０号公報
【発明の概要】
【発明が解決しようとする課題】
【０００６】
しかしながら、特許文献１に記載のブラジャーは、カップの上端部に連結された肩紐の長さを調節することによって上下方向の調整を行うものであり、従って、例えば、この肩紐を短くすることによってカップを持ち上げ、このカップによって着用者の乳房を持ち上げる構成である。
【０００７】
また、特許文献２に記載のブラジャーも、カップと肩紐を結んだ吊り紐の長さを調節するものであり、従って、例えば、この吊り紐を短くすることによってカップを持ち上げ、このカップによって着用者の乳房を持ち上げるようにしている。
【０００８】
従って、特許文献１及び２に記載のブラジャーは共に、カップの形態等によっては、着用者の乳房の持ち上げを確実に行うことができないといった問題がある。
【０００９】
そこで、本発明の目的とするところは、カップの形態等に影響されず、着用者の乳房を、確実に、下から調節自在に支持し上方に持ち上げることができるカップ部を有する衣類を提供することにある。
【課題を解決するための手段】
【００１０】
上記の目的を達成するために、本発明は、着用者の胸部中心部分から脇下部分にわたって左右に位置し、前記着用者の左側乳房および右側乳房をそれぞれ覆って支持する左カップ部（１１）および右カップ部（１２）を有し、前記両カップ部（１１，１２）が前記胸部中心部分側で連結されたカップ部を有する衣類（１）であって、
前記左カップ部（１１）の裏面側で前記左側乳房に直に接して前記左側乳房を下方から支持し上方に持ち上げるとともに、一端部である固定部（Ｋ）が、前記左カップ部（１１）の前記胸部中心部分側に固定され、他端部である着脱部（Ｃ）が、前記左カップ部（１１）の前記脇下部分側に設けた受け部（Ｕ）に対して、前記左側乳房を下方から支持し上方に持ち上げる度合を調節自在でかつ着脱自在に固定される左支持部材（２０）と、
前記右カップ部（１２）の裏面側で前記右側乳房に直に接して前記右側乳房を下方から支持し上方に持ち上げるとともに、一端部である固定部（Ｋ）が、前記右カップ部（１２）の前記胸部中心部分側に固定され、他端部である着脱部（Ｃ）が、前記右カップ部（１２）の前記脇下部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、柔軟性のある紐片で形成し、
前記受け部（Ｕ）に対する前記着脱部（Ｃ）の固定位置を縦方向にかえることができるようにしたことを特徴とする。
【００１１】
また、本発明は、前記受け部（Ｕ）は、前記カップ部（１１，１２）の表面側又は前記カップ部（１１，１２）の端部に延在されたサイドベルト（１３）の表面側に設けられ、
前記左支持部材（２０）および前記右支持部材（３０）の着脱部（Ｃ）は、前記カップ部（１１，１２）の端部側に形成された第１スリット（２１，３１）を通って前記カップ部（１１，１２）の裏面側から表面側に突出して、前記受け部（Ｕ）に固定されることを特徴とする。
【００１２】
また、本発明は、前記左支持部材（２０）および前記右支持部材（３０）の固定部（Ｋ）は、前記カップ部（１１，１２）の裏面側における前記胸部中心部分側に固定されることを特徴とする。
【００１３】
また、本発明は、前記左支持部材（２０）および前記右支持部材（３０）の固定部（Ｋ）は、前記カップ部（１１，１２）の前記胸部中心部分側に形成された第２スリット（２２，３２）を通って前記カップ部（１１，１２）の裏面側から表面側に突出して、前記胸部中心部分側に固定されることを特徴とする。
【００１４】
また、本発明は、着用者の胸部中心部分から脇下部分にわたって左右に位置し、前記着用者の左側乳房および右側乳房をそれぞれ覆って支持する左カップ部（１１）および右カップ部（１２）を有し、前記両カップ部（１１，１２）が前記胸部中心部分側で連結されたカップ部を有する衣類（１）であって、
前記左カップ部（１１）の裏面側で前記左側乳房に直に接して前記左側乳房を下方から支持し上方に持ち上げるとともに、一端部である固定部（Ｋ）が、前記左カップ部（１１）の前記脇下部分側に固定され、他端部である着脱部（Ｃ）が、前記左カップ部（１１）の前記胸部中心部分側に設けた受け部（Ｕ）に対して、前記左側乳房を下方から支持し上方に持ち上げる度合を調節自在でかつ着脱自在に固定される左支持部材（２０）と、
前記右カップ部（１２）の裏面側で前記右側乳房に直に接して前記右側乳房を下方から支持し上方に持ち上げるとともに、一端部である固定部（Ｋ）が、前記右カップ部（１２）の前記脇下部分側に固定され、他端部である着脱部（Ｃ）が、前記右カップ部（１２）の前記胸部中心部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、柔軟性のある紐片で形成し、
前記受け部（Ｕ）に対する前記着脱部（Ｃ）の固定位置を縦方向にかえることができるようにしたことを特徴とする。
【００１５】
また、本発明は、着用者の胸部中心部分から脇下部分にわたって左右に位置し、前記着用者の左側乳房および右側乳房をそれぞれ覆って支持する左カップ部（１１）および右カップ部（１２）を有し、前記両カップ部（１１，１２）が前記胸部中心部分側で連結されたブラジャー（１）であって、
前記左カップ部（１１）の表面側に接して前記左側乳房を下方から支持し上方に持ち上げるとともに、一端部である固定部（Ｋ）が、前記左カップ部（１１）の前記脇下部分側に固定され、他端部である着脱部（Ｃ）が、前記左カップ部（１１）の前記胸部中心部分側に設けた受け部（Ｕ）に対して、前記左側乳房を下方から支持し上方に持ち上げる度合を調節自在でかつ着脱自在に固定される左支持部材（２０）と、
前記右カップ部（１２）の表面側に接して前記右側乳房を下方から支持し上方に持ち上げるとともに、一端部である固定部（Ｋ）が、前記右カップ部（１２）の前記脇下部分側に固定され、他端部である着脱部（Ｃ）が、前記右カップ部（１２）の前記胸部中心部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、柔軟性のある紐片で形成し、前記受け部（Ｕ）に対する前記着脱部（Ｃ）の固定を開放した場合、前記紐片は前記固定部（Ｋ）を除いて前記両カップ部（１１，１２）に拘束されることなくかつ垂れるような状態で分離したものであり、
前記受け部（Ｕ）に対する前記着脱部（Ｃ）の固定位置を縦方向にかえることができるようにしたことを特徴とする。
【００１６】
また、本発明は、着用者の胸部中心部分から脇下部分にわたって左右に位置し、前記着用者の左側乳房および右側乳房をそれぞれ覆って支持する左カップ部（５１）および右カップ部（５２）を有し前記両カップ部（５１，５２）が前記胸部中心部分側で連結されたカップ本体（５０）が、前身頃（５ａ）の内側でかつ前身頃（５ａ）から分離し前記カップ部（５１，５２）の両側面側が前身頃（５ａ）と後見頃（５ｂ）の繋ぎ目付近に取付けられたカップ部を有する衣類（５）であって、
前記前身頃（５ａ）と前記左カップ部（５１）の間で前記左カップ部（５１）の表面側に接して前記左側乳房を下方から支持し上方に持ち上げるとともに、一端部である固定部（Ｋ）が、前記左カップ部（５１）の前記胸部中心部分側又は前記脇下部分側に固定され、他端部である着脱部（Ｃ）が、前記左カップ部（５１）の前記脇下部分側又は前記胸部中心部分側で、前記固定部（Ｋ）が固定されていない側に設けた受け部（Ｕ）に対して、前記左側乳房を下方から支持し上方に持ち上げる度合を調節自在でかつ着脱自在に固定される左支持部材（６０）と、
前記前身頃（５ａ）と前記右カップ部（５２）の間で前記右カップ部（５２）の表面側に接して前記右側乳房を下方から支持し上方に持ち上げるとともに、一端部である固定部（Ｋ）が、前記右カップ部（５２）の前記胸部中心部分側又は前記脇下部分側に固定され、他端部である着脱部（Ｃ）が、前記右カップ部（５２）の前記脇下部分側又は前記胸部中心部分側で、前記固定部（Ｋ）が固定されていない側に設けた受け部（Ｕ）に対して、前記右側乳房を下方から支持し上方に持ち上げる度合を調節自在でかつ着脱自在に固定される右支持部材（７０）を備え、
前記左支持部材（６０）および前記右支持部材（７０）を、柔軟性のある紐片で形成し、前記受け部（Ｕ）に対する前記着脱部（Ｃ）の固定を開放した場合、前記紐片は前記固定部（Ｋ）を除いて前記両カップ部（５１，５２）に拘束されることなくかつ垂れるような状態で分離したものであり、
前記受け部（Ｕ）に対する前記着脱部（Ｃ）の固定位置を縦方向にかえることができるようにしたことを特徴とする。
【００１７】
また、本発明は、着用者の胸部中心部分から脇下部分にわたって左右に位置し、前記着用者の左側乳房および右側乳房をそれぞれ覆って支持する左カップ部（５１）および右カップ部（５２）を有し前記両カップ部（５１，５２）が前記胸部中心部分側で連結されたカップ本体（５０）が、前身頃（５ａ）の内側でかつ前身頃（５ａ）から分離し前記カップ部（５１，５２）の両側面側が前身頃（５ａ）と後見頃（５ｂ）の繋ぎ目付近に取付けられたカップ部を有する衣類（５）であって、
前記前身頃（５ａ）と前記左カップ部（５１）の間で前記左カップ部（５１）の表面側に接して前記左側乳房を下方から支持し上方に持ち上げるとともに、一端部である固定部（Ｋ）が、前記左カップ部（５１）の前記胸部中心部分側又は前記脇下部分側に固定され、他端部である着脱部（Ｃ）が、前記左カップ部（５１）の前記脇下部分側又は前記胸部中心部分側で、前記固定部（Ｋ）が固定されていない側に設けた受け部（Ｕ）に対して、前記左側乳房を下方から支持し上方に持ち上げる度合を調節自在でかつ着脱自在に固定される左支持部材（６０）と、
前記前身頃（５ａ）と前記右カップ部（５２）の間で前記右カップ部（５２）の表面側に接して前記右側乳房を下方から支持し上方に持ち上げるとともに、一端部である固定部（Ｋ）が、前記右カップ部（５２）の前記胸部中心部分側又は前記脇下部分側に固定され、他端部である着脱部（Ｃ）が、前記右カップ部（５２）の前記脇下部分側又は前記胸部中心部分側で、前記固定部（Ｋ）が固定されていない側に設けた受け部（Ｕ）に対して、前記右側乳房を下方から支持し上方に持ち上げる度合を調節自在でかつ着脱自在に固定される右支持部材（７０）を備え、
前記左支持部材（６０）および前記右支持部材（７０）を、前記左カップ部（５１）の下方および前記右カップ部（５２）の下方の輪郭に対応した湾曲形状の硬質片で形成したことを特徴とする。
【００１８】
また、本発明は、着用者の胸部中心部分から脇下部分にわたって左右に位置し、前記着用者の左側乳房および右側乳房をそれぞれ覆って支持する左カップ部（５１）および右カップ部（５２）を有し前記両カップ部（５１，５２）が前記胸部中心部分側で連結されたカップ本体（５０）が、前身頃（５ａ）の内側でかつ前身頃（５ａ）から分離し前記カップ部（５１，５２）の両側面側が前身頃（５ａ）と後見頃（５ｂ）の繋ぎ目付近に取付けられたカップ部を有する衣類（５）であって、
一端部である固定部（Ｋ）が、前記左カップ部（５１）の前記胸部中心部分側又は前記脇下部分側に固定され、他端部である着脱部（Ｃ）が、前記左カップ部（５１）の前記脇下部分側又は前記胸部中心部分側で、前記固定部（Ｋ）が固定されていない側に設けた受け部（Ｕ）に対して、前記左側乳房を下方から支持し上方に持ち上げる度合を調節自在でかつ着脱自在に固定される左支持部材（６０）と、
一端部である固定部（Ｋ）が、前記右カップ部（５２）の前記胸部中心部分側又は前記脇下部分側に固定され、他端部である着脱部（Ｃ）が、前記右カップ部（５２）の前記脇下部分側又は前記胸部中心部分側で、前記固定部（Ｋ）が固定されていない側に設けた受け部（Ｕ）に対して、前記右側乳房を下方から支持し上方に持ち上げる度合を調節自在でかつ着脱自在に固定される右支持部材（７０）を備え、
前記左カップ部（５１）と、前記左支持部材（６０）の前記着脱部（Ｃ）を除く部分を一体化し、前記左支持部材（６０）を前記左カップ部（５１）よりも弾力のある弾性材で形成し、
前記右カップ部（５２）と、前記右支持部材（７０）の前記着脱部（Ｃ）を除く部分を一体化し、前記右支持部材（７０）を前記右カップ部（５２）よりも弾力のある弾性材で形成したことを特徴とする。
【００１９】
なお、上記括弧内の記号は、図面および後述する発明を実施するための形態に掲載された対応要素または対応事項を示す。
【発明の効果】
【００２０】
本発明のカップ部を有する衣類によれば、左カップおよび右カップのそれぞれの固定部が、左カップ部および右カップ部の胸部中心部分側に固定され、それぞれの着脱部が、左カップ部および右カップ部の脇下部分側に設けた受け部に、左側乳房および右側乳房を下方から支持し上方に持ち上げる度合を調節自在とし、かつ着脱自在に固定される左支持部材および右支持部材を備えるので、確実に、着用者の左右の乳房を下から支持して上方に持ち上げることができる。
特に、左支持部材および右支持部材は、左右カップ部の裏面側で左側乳房および右側乳房に直に接して乳房を下方から支持し上方に持ち上げるので、乳房の下端部とその直下の皮膚部分とが密着する密着部が形成されないようにすることができる。よって、例えば、夏季などではその密着部の部分に汗が溜まり、着用者に不快感を与えてしまうが、本発明ではこうした問題も解決することができる。
また、左支持部材および右支持部材が、左側乳房および右側乳房に直に接して乳房を下方から支持し上方に持ち上げることで、乳房は体幹に引き寄せられた状態で固定されるので肩こりの解消にもなる。
【００２１】
また、着脱部を受け部の所望箇所に留めることで、そのブラジャーなどカップ部を有する衣類の持つ機能を着用者の目的に合わせることができ、従って、乳房の持ち上げのみならず、左右寄せ、揺れの軽減、体型変化による緩み等のサイズ調整を行うことができる。また、左右の乳房に異なるサイズ調整を与えることもできる。従って、スポーツ用ブラジャーとしての使用にも適する。
【００２２】
また、本発明によれば、左支持部材および右支持部材を、柔軟性のある紐片で形成したので、着用者の皮膚を不快に刺激したり傷つけたりすることなく、確実に下から支持して上方に持ち上げることができる。
【００２３】
また、本発明によれば、左支持部材および右支持部材の固定部は、カップ部の裏面側にも表面側にも配置させることができ、左支持部材および右支持部材の着脱部も、カップ部の裏面側にも表面側にも配置させることができる。また、第１スリットや第２スリットを形成することで通気性能が向上する。
なお、左支持部材および右支持部材の固定部を、左カップ部および右カップ部の胸部中心部分側ではなく脇下部分側に固定し、左支持部材および右支持部材の着脱部を、左カップ部および右カップ部の脇下部分側ではなく胸部中心部分側に設けることも可能である。
【００２４】
また、特にブラジャーにおいて、左支持部材および右支持部材の固定部を脇下部分側に固定し、左支持部材および右支持部材の着脱部を胸部中心部分側に設けた受け部に固定するようにするとともに、左支持部材および右支持部材はそれぞれ左カップ部および右カップ部の表面側に接して左側乳房および右側乳房を下方から支持し上方に持ち上げるようにすることもできる。
【００２５】
また、本発明のカップ部を有する衣類によれば、ブラキャミソール，ブラタンクトップ，ボディスーツ，水着など左右両カップ部と前身頃との間に隙間がある衣類において、左カップおよび右カップのそれぞれの固定部が胸部中心部分側に固定され、それぞれの着脱部が脇下部分側に設けた受け部に、左側乳房および右側乳房を下方から支持し上方に持ち上げる度合を調節自在とし、かつ着脱自在に固定される左支持部材および右支持部材を備えるので、確実に、着用者の左右の乳房を下から支持して上方に持ち上げることができる。
特に、左支持部材および右支持部材は、左右両カップ部と前身頃との間で左右カップ部の表面側に接して乳房を下方から支持し上方に持ち上げるので、外から左支持部材および右支持部材は見えず外観上見栄えがよい。
【００２６】
また、本発明によれば、左支持部材および右支持部材を、左カップ部の下方および右カップ部の下方の輪郭に対応した湾曲形状の硬質片で形成したので、着用者の乳房の全体を包み込むようにして、確実に下から支持して上方に持ち上げることができる。
【００２７】
また、本発明によれば、左カップ部および右カップ部と、左支持部材および右支持部材の着脱部を除く部分をそれぞれ一体化したので、左支持部材および右支持部材が表面側に独立して突出することはない。
これにより、外観性を高めることができる。
また、左支持部材および右支持部材をそれぞれ左カップ部および右カップ部よりも弾力のある弾性材で形成したので、その弾性力を利用して着用者の乳房を下から支持して上方に持ち上げることができる。
従って、着用者の皮膚に不快な刺激を与えない。
【００２８】
なお、ブラキャミソール，ブラタンクトップ，ボディスーツ，水着など左右両カップ部と前身頃との間に隙間がある衣類において、左支持部材および右支持部材の固定部を、左カップ部および右カップ部の胸部中心部分側ではなく脇下部分側に固定し、左支持部材および右支持部材の着脱部を、左カップ部および右カップ部の脇下部分側ではなく胸部中心部分側に設けることも可能である。
【図面の簡単な説明】
【００２９】
【図１】本発明の第一実施形態に係るブラジャーの着用状態を示す概略正面図である。
【図２】図１に示すブラジャーの概略正面図である（左支持部材および右支持部材を開放した状態）。
【図３】図１に示すブラジャーの概略正面図である（左支持部材および右支持部材を固定した状態）。
【図４】第一実施形態に係るブラジャーの他の態様を示す概略正面図である（左支持部材および右支持部材を開放した状態）。
【図５】上記実施形態に係るブラジャーにおいて、凹凸構造で構成された着脱部と受け部を示す断面図である。
【図６】本発明の第一実施形態に係るブラジャーを使用した状態における乳房周りの様子を示す断面図であり、（ｂ）は（ａ）と比較して局所的に支持部分の厚みを厚くしたものであり、（ｃ）は（ａ）と比較して支持部材の断面形状を円状にしたものである。
【図７】従来のブラジャーを使用した状態における乳房周りの様子を示す断面図である。
【図８】本発明の第二実施形態に係るブラキャミソールの概略正面図である（左支持部材および右支持部材を開放した状態）。
【図９】図８に示すブラキャミソールの要部を実線で示した概略正面図である（左支持部材および右支持部材を開放した状態）。
【図１０】図８に示すブラキャミソールの要部を実線で示した概略正面図である（左支持部材および右支持部材を固定した状態）。
【図１１】本発明の第二実施形態に係るブラキャミソールの他の態様であり、左支持部材および右支持部材を湾曲形状の硬質片で形成したものを示す概略正面図である（左支持部材および右支持部材を開放した状態）。
【図１２】本発明の第二実施形態に係るブラキャミソールのさらに他の態様であり、（ａ）は概略正面図、（ｂ）は（ａ）のＹ−Ｙ線拡大断面図である。
【図１３】本発明の第二実施形態に係るブラキャミソールを使用した状態における乳房周りの様子を示す断面図であり、（ｂ）は（ａ）と比較して局所的に支持部分の厚みを厚くしたものである。
【発明を実施するための形態】
【００３０】
（第一実施形態）
図１乃至図３を参照して、本発明の第一実施形態に係るカップ部を有する衣類を説明する。ここでは、カップ部を有する衣類としてブラジャー１を例にして説明する。図１は、第一実施形態に係るブラジャー１の着用状態を示し、図２は、図１に示すブラジャー１の左支持部材２０および右支持部材３０を開放した状態であり、図３はその左支持部材２０および右支持部材３０を固定した状態を示すものである。
【００３１】
第一実施形態に係るブラジャー１は、着用者の胸部中心部分から脇下部分にわたって左右に位置するものであり、着用者の左側乳房および右側乳房をそれぞれ覆って支持する左カップ部１１および右カップ部１２を有する。左カップ部１１と右カップ部１２は、着用者の胸部中心部分側で連結される。左カップ部１１および右カップ部１２のそれぞれの端部からはサイドベルト１３が延在する。また、左カップ部１１および右カップ部１２のそれぞれの上端部から、対応するサイドベルト１３に連結される肩紐１４が設けられる。
これら左カップ部１１、右カップ部１２、左右のサイドベルト１３、および左右の肩紐１４によってブラジャー本体１０が構成される。
このブラジャー１の特徴は、以下に述べる左支持部材２０と右支持部材３０を設けたことである。
【００３２】
左支持部材２０は、その一端部である固定部Ｋと他端部である着脱部Ｃとの間の部分が、左カップ部１１の裏面側において左側乳房に直に接して左側乳房を下方から支持し上方に持ち上げるようになっている。
左支持部材２０の固定部Ｋは、左カップ部１１の胸部中心部分側（胸部の中心部分であってもよいし、その中心部分周りであってもよい）に固定され、着脱部Ｃは、左カップ部１１の脇下部分側に設けた受け部Ｕに着脱自在に固定される。
【００３３】
左支持部材２０の固定部Ｋは、左カップ部１１の裏面側において左カップ部１１の胸部中心部分側に固定されている。
受け部Ｕは左カップ部１１の表面側に設けられていて、左支持部材２０の着脱部Ｃは、左カップ部１１の端部側に形成された第１スリット２１を通って左カップ部１１の裏面側から表面側に突出して、受け部Ｕに固定される。
すなわち、この左支持部材２０は、着用者の左側乳房を下方から支持して上方に持ち上げる度合を自在に調節しながら、着用者に適した状態で固定することができる。
【００３４】
右支持部材３０も同様に、その一端部である固定部Ｋと他端部である着脱部Ｃとの間の部分が、右カップ部１２の裏面側において右側乳房に直に接して右側乳房を下方から支持し上方に持ち上げるようになっている。
右支持部材３０の固定部Ｋは、右カップ部１２の胸部中心部分側（胸部の中心部分であってもよいし、その中心部分周りであってもよい）に固定され、着脱部Ｃは、右カップ部１２の脇下部分側に設けた受け部Ｕに着脱自在に固定される。
【００３５】
右支持部材３０の固定部Ｋは、右カップ部１２の裏面側において右カップ部１２の胸部中心部分側に固定されている。
受け部Ｕは右カップ部１２の表面側に設けられていて、右支持部材３０の着脱部Ｃは、右カップ部１２の端部側に形成された第１スリット３１を通って右カップ部１２の裏面側から表面側に突出して、受け部Ｕに固定される。
すなわち、この右支持部材３０は、着用者の右側乳房を下方から支持して上方に持ち上げる度合を自在に調節しながら、着用者に適した状態で固定することができる。
【００３６】
なお、第１スリット２１，３１は着脱部Ｃをカップ部１１，１２の裏面側から表面側に通して突出させるものであればよく、その幅や上下方向の長さは特に限定されるものではない。
【００３７】
また、本実施形態のブラジャー１は、左支持部材２０および右支持部材３０を、柔軟性のある長尺状の紐片で形成している。紐片の構成材料は限定されず、布製あるいは軟質樹脂製などのあらゆる柔軟性材料を使用することができる。また、柔軟性のある長尺状の紐片であれば、平板状のものに限られず、例えば断面円形状，断面楕円状のもので乳房に直に接して下方から上方に安定してかつ確実に持ち上げられるものにすることもできる。
左支持部材２０および右支持部材３０を柔軟性のある紐片で形成することにより、着用者の皮膚を不快に刺激したり、傷つけたりすることなく、下から確実に支持して上方に持ち上げることができる。
【００３８】
また、本実施形態では、左支持部材２０および右支持部材３０の着脱部Ｃと、左カップ部１１および右カップ部１２の受け部Ｕを共に面ファスナーＦで構成している。
この二つの面ファスナーＦは、その一方が多数のフックを有するフック状ファスナーであり、他方が多数のループを有するループ状ファスナーである。フックとループを絡み合わせて二つの面ファスナーＦを、いわゆるワンタッチで係合させる。
【００３９】
左支持部材２０および右支持部材３０に設けた面ファスナーＦは、左支持部材２０および右支持部材３０の端部の幅に収まる短尺状であり、左カップ部１１および右カップ部１２に設けた面ファスナーＦは、左カップ部１１および右カップ部１２のそれぞれの脇下部分側に、縦方向に設けられた長尺状である。
これにより、受け部Ｕに対する着脱部Ｃの固定位置を縦方向にかえることができるようにしている。
【００４０】
なお、この面ファスナーＦは、左カップ部１１および右カップ部１２の端部側において下方から上方にわたって縦方向に長く連続的に設けることができる。さらには、左カップ部１１および右カップ部１２の表面側ではなくそれらに隣接する部分（本実施形態ではサイドベルト１３）の表面側に設けることもできる。
【００４１】
また、左支持部材２０および右支持部材３０の固定部Ｋを、左右両カップ部１１，１２の胸部中心部分側（胸部の中心部分であってもよいし、その中心部分周りであってもよい）において裏面側に固定するようにしたが、図４に示すように、カップ部１１，１２の胸部中心部分側に形成された第２スリット２２，３２を通ってカップ部１１，１２の裏面側から表面側に突出して、胸部中心部分側に固定するようにしてもよい。また、カップ部１１，１２に対して固定部Ｋを着脱式にすることもできる。
【００４２】
なお、第２スリット２２，３２は固定部Ｋをカップ部１１，１２の裏面側から表面側に通して突出させるものであればよく、その幅や上下方向の長さは特に限定されるものではない。
【００４３】
また、左支持部材２０および右支持部材３０の着脱部Ｃについては、第１スリット２１，３１を通して左右両カップ部１１，１２の裏面側から表面側に突出させて受け部Ｕに固定するようにしたが、受け部Ｕをカップ部１１，１２の裏面側に設け、着脱部Ｃをカップ部１１，１２の表面側に出すことなくそのまま裏面側で受け部Ｕに固定することもできる。
【００４４】
なお、着脱部Ｃと受け部Ｕは、面ファスナーＦに代えて、例えば、図５に示すような凹部（孔部や環状部を含む）と凸部とで形成される係合構造Ｅで構成することもできる。
ここでは、左支持部材２０および右支持部材３０の他端部裏面側に凸部が設けられ、左カップ部１１および右カップ部１２の表面側に凹部が設けられている。凸部は一つであるが、それに嵌合する凹部は、左カップ部１１および右カップ部１２の表面側において縦方向に複数段（例えば３段から５段）設けられている。
こうした係合構造Ｅはあらゆるものが存在しており、衣服に使用できる種々のものを採用することができる。
【００４５】
第一実施形態に係るブラジャー１は、次のように使用することができる。
まず、ブラジャー本体１０を着用する。
次に、左支持部材２０の着脱部Ｃと右支持部材３０の着脱部Ｃを、それぞれに対応する左カップ部１１および右カップ部１２の受け部Ｕに取り付ける。
この際、左支持部材２０と右支持部材３０を着用者の乳房の下に直接当てて、乳房を下から支持して持ち上げるようにし、着用者に適した状態で調整しつつ、着脱部Ｃを受け部Ｕに取付ける。
【００４６】
これによれば、図６（ａ）に示すように、いわゆるバストアップを行うことができると共に、乳房の下端部とその直下の皮膚部分とが密着するのを防止することができる。
ちなみに、従来の通常のブラジャー４０の場合は、図７に示すように、乳房の下端部とその直下の皮膚部分とが密着する密着部Ｓが形成されてしまうので、例えば、夏季などではその部分に汗が溜まり、着用者に不快感を与えてしまうが、本実施形態によるブラジャー１は、こうした問題も解決することができる。
【００４７】
また、ブラジャー１の左支持部材２０および右支持部材３０を局所的に厚くするようにしてもよい。
ここでは、それぞれ左支持部材２０および右支持部材３０の略中央裏面側に厚肉部２５，３５を設けていて、図６（ｂ）に示すように、引張り力を集中させて乳房を効果的に引き上げるようにしている。また、乳房に直接当たる、左支持部材２０および右支持部材３０の略中央部分をその他の部分に比較して幅広にして一層安定した状態で乳房を下方から支持するようにすることもできる。
また、乳房をより十分に下方から支持して持ち上げるように、図６（ｃ）に示すように、左支持部材２０および右支持部材３０として、断面円形状で中に容易に収縮可能なスポンジなどを埋設したものを使用することもできる。図６（ｃ）は、断面円形状の左支持部材２０および右支持部材３０が撓んで断面楕円状になった状態を示している。
【００４８】
また、図面は省略するが、左支持部材２０および右支持部材３０と乳房との間に、吸水性が高い汗取り用のシートやパッドを取り付けたり、挟み込んだりすることもできる。
左支持部材２０の着脱部Ｃ側の端部と右支持部材３０の着脱部Ｃ側の端部を中心部側、あるいは端部以外の部分と比較して幅広（上下方向の幅を広くする）にして着脱部Ｃによる固定をより安定するようにすることもできる。このとき、着脱部Ｃ側の端部をテーパー状に徐々に幅広にすることもできる。
【００４９】
（第二実施形態）
次に図８乃至図１０を参照して、本発明の第二実施形態に係るカップ部を有する衣類は、着用者の胸部中心部分から脇下部分にわたって左右に位置し、着用者の左側乳房および右側乳房をそれぞれ覆って支持する左カップ部５１および右カップ部５２を有し両カップ部５１，５２が胸部中心部分側で連結されたカップ本体５０が、前身頃５ａの内側でかつ前身頃５ａから分離しカップ本体５０の両側面側が前身頃５ａと後見頃５ｂの繋ぎ目付近（脇下部分）に取付けられたブラキャミソール５を例にして説明する。
本発明の第二実施形態に係るカップ部を有する衣類は、両カップ部５１，５２と前身頃５ａとの間に隙間があり、そこに左支持部材６０と右支持部材７０が位置するようにしたことを特徴とするものである。
【００５０】
図８は、第二実施形態に係るブラキャミソール５の外観を示し、図９は、図８に示すブラキャミソール５の左支持部材６０および右支持部材７０を開放した状態であり、図１０はその左支持部材６０および右支持部材７０を固定した状態を示すものである。なお、図９及び図１０では、内側のカップ本体５０，左支持部材６０および右支持部材７０を実線で示している。
【００５１】
ここでは、カップ本体５０の両側面側にはサイド部５３が設けられ、このサイド部５３が前身頃５ａと後見頃５ｂの繋ぎ目付近（脇下部分）に取付けられているが、カップ本体５０の両側面側が直接、前身頃５ａと後見頃５ｂの繋ぎ目付近（脇下部分）に取付けられるようにしてもよい。ブラキャミソール５の上部には肩紐５４が設けられている。
【００５２】
左支持部材６０は、その一端部である固定部Ｋと他端部である着脱部Ｃとの間の部分が、前身頃５ａと左カップ部５１の間で左カップ部５１の表面側に接して左側乳房を下方から支持し上方に持ち上げるようになっている。
左支持部材６０の固定部Ｋは、左カップ部５１の胸部中心部分側（胸部の中心部分であってもよいし、その中心部分周りであってもよい）に固定され、着脱部Ｃは、左カップ部５１の脇下部分側に設けた受け部Ｕに着脱自在に固定される。
【００５３】
左支持部材６０の固定部Ｋは、左カップ部５１の表面側において左カップ部５１の胸部中心部分側に固定されている。
受け部Ｕは左カップ部５１の表面側に設けられていて、左支持部材６０の着脱部Ｃは、左カップ部５１の表面側で受け部Ｕに固定される。
すなわち、この左支持部材６０は、着用者の左側乳房を下方から支持して上方に持ち上げる度合を自在に調節しながら、着用者に適した状態で固定することができる。
【００５４】
右支持部材７０も同様に、その一端部である固定部Ｋと他端部である着脱部Ｃとの間の部分が、前身頃５ａと右カップ部５２の間で右カップ部５２の表面側に接して右側乳房を下方から支持し上方に持ち上げるようになっている。
右支持部材７０の固定部Ｋは、右カップ部５２の胸部中心部分側（胸部の中心部分であってもよいし、その中心部分周りであってもよい）に固定され、着脱部Ｃは、右カップ部５２の脇下部分側に設けた受け部Ｕに着脱自在に固定される。
【００５５】
右支持部材７０の固定部Ｋは、右カップ部５２の表面側において右カップ部５２の胸部中心部分側に固定されている。
受け部Ｕは右カップ部５２の表面側に設けられていて、右支持部材７０の着脱部Ｃは、右カップ部５２の表面側で受け部Ｕに固定される。
すなわち、この右支持部材７０は、着用者の右側乳房を下方から支持して上方に持ち上げる度合を自在に調節しながら、着用者に適した状態で固定することができる。
【００５６】
また、本実施形態のブラキャミソール５は、左支持部材６０および右支持部材７０を、柔軟性のある長尺状の紐片で形成している。紐片の構成材料は限定されず、布製あるいは軟質樹脂製などのあらゆる柔軟性材料を使用することができる。また、柔軟性のある長尺状の紐片であれば、平板状のものに限られない。
また、特に、図８及び図９に示すように、受け部Ｕに対する着脱部Ｃの固定を開放した場合、紐片は固定部Ｋを除いて両カップ部５１，５２に拘束されることなくかつ垂れるような状態で分離したものである。
【００５７】
また、本実施形態では、左支持部材６０および右支持部材７０の着脱部Ｃと、左カップ部５１および右カップ部５２の受け部Ｕを共に面ファスナーＦで構成している。
この二つの面ファスナーＦは、その一方が多数のフックを有するフック状ファスナーであり、他方が多数のループを有するループ状ファスナーである。フックとループを絡み合わせて二つの面ファスナーＦを、いわゆるワンタッチで係合させる。
【００５８】
左支持部材６０および右支持部材７０に設けた面ファスナーＦは、左支持部材６０および右支持部材７０の端部の幅に収まる短尺状であり、左カップ部５１および右カップ部５２に設けた面ファスナーＦは、左カップ部５１および右カップ部５２のそれぞれの脇下部分側に、縦方向に設けられた長尺状である。
これにより、受け部Ｕに対する着脱部Ｃの固定位置を縦方向にかえることができるようにしている。
【００５９】
なお、この面ファスナーＦは、左カップ部５１および右カップ部５２の端部側において下方から上方にわたって縦方向に長く連続的に設けることができる。さらには、左カップ部５１および右カップ部５２の表面側ではなくそれらに隣接する部分（本実施形態ではサイド部５３）の表面側に設けることもできる。
【００６０】
また、左支持部材６０および右支持部材７０の固定部Ｋを、カップ部５１，５２に対して着脱式にすることもできる。
【００６１】
なお、着脱部Ｃと受け部Ｕは、面ファスナーＦに代えて、例えば、図５に示すような凹部（孔部や環状部を含む）と凸部とで形成される係合構造Ｅで構成することもできる。
ここでは、左支持部材６０および右支持部材７０の他端部裏面側に凸部が設けられ、左カップ部５１および右カップ部５２の表面側に凹部が設けられている。凸部は一つであるが、それに嵌合する凹部は、左カップ部５１および右カップ部５２の表面側において縦方向に複数段（例えば３段から５段）設けられている。
こうした係合構造Ｅはあらゆるものが存在しており、衣服に使用できる種々のものを採用することができる。
【００６２】
第二実施形態に係るブラキャミソール５は、次のように使用することができる。
まず、ブラキャミソール５を着用する。
次に、左支持部材６０の着脱部Ｃと右支持部材７０の着脱部Ｃを、それぞれに対応する左カップ部５１および右カップ部５２の受け部Ｕに取り付ける。
この際、左支持部材６０と右支持部材７０を左カップ部５１及び右カップ部５２の表面側に当てて、乳房を下から支持して持ち上げるようにし、着用者に適した状態で調整しつつ、着脱部Ｃを受け部Ｕに取付ける。
【００６３】
これによれば、図１３（ａ）に示すように、いわゆるバストアップを行うことができると共に、乳房の下端部とその直下の皮膚部分とが密着するのを防止することができる。
ちなみに、従来の通常のブラジャー４０の場合は、図７に示すように、乳房の下端部とその直下の皮膚部分とが密着する密着部Ｓが形成されてしまうので、例えば、夏季などではその部分に汗が溜まり、着用者に不快感を与えてしまうが、本実施形態によるブラキャミソール５は、こうした問題も解決することができる。
【００６４】
また、ブラキャミソール５の左支持部材６０および右支持部材７０を局所的に厚くするようにしてもよい。
ここでは、それぞれ左支持部材６０および右支持部材７０の略中央裏面側に厚肉部６５，７５を設けていて、図１３（ｂ）に示すように、引張り力を集中させて乳房を効果的に引き上げるようにしている。
【００６５】
また、左支持部材６０の着脱部Ｃ側の端部と右支持部材７０の着脱部Ｃ側の端部を中心部側、あるいは端部以外の部分と比較して幅広（上下方向の幅を広くする）にして着脱部Ｃによる固定をより安定するようにすることもできる。このとき、着脱部Ｃ側の端部をテーパー状に徐々に幅広にすることもできる。
【００６６】
なお、図１１に示すように、左支持部材６０および右支持部材７０を、紐片に代えて、左カップ部５１および右カップ部５２の下部における輪郭（外面形状）に対応した湾曲形状の硬質片で形成することができる。
これにより、着用者の乳房の全体を包み込むようにして、確実に下から支持して上方に持ち上げることができる。なお、硬質片としては、樹脂材などを使用できる。
【００６７】
さらに、図１２に示すように、左カップ部５１と、左支持部材６０の着脱部Ｃを除く部分を一体化すると共に、左支持部材６０を左カップ部５１よりも弾力のある弾性材で形成し、同様に、右カップ部５２と、右支持部材７０の着脱部Ｃを除く部分を一体化すると共に、右支持部材７０を右カップ部５２よりも弾力のある弾性材で形成することもできる。
【００６８】
これによれば、左支持部材６０および右支持部材７０の着脱部Ｃを除く部分をそれぞれ一体化したので、左支持部材６０および右支持部材７０が表面側に独立して突出することはない。
これにより、ブラキャミソール５の外観性を高めることができる。
また、左支持部材６０および右支持部材７０をそれぞれ左カップ部５１および右カップ部５２よりも弾力のある弾性材で形成したので、その弾性力を利用して着用者の乳房を下から支持して上方に持ち上げることができる。
従って、着用者の皮膚に不快な刺激を与えない。
【００６９】
本発明の第二実施形態に係るカップ部を有する衣類としてブラキャミソール５を例に説明したが、両カップ部５１，５２と前身頃５ａとの間に隙間があるものであれば、ブラタンクトップやボディスーツや水着などその他のものであってもよい。
【００７０】
また、本発明の第一実施形態に係るカップ部を有する衣類としてブラジャー１を例に説明したが、これは、左支持部材２０および右支持部材３０が、左右カップ部１１，１２の裏面側で左側乳房および右側乳房に直に接して乳房を下方から支持し上方に持ち上げるものであるので、両カップ部１１，１２が胸部中心部分側で連結されたカップ部を有する衣類であれば適用可能である。よって、第二実施形態に係るカップ部を有する衣類として説明したブラキャミソール５などのものであっても適用可能であるし、両カップ部５１，５２と前身頃５ａとの間に隙間がないものであってもよい。
【００７１】
なお、本発明の第一実施形態および第二実施形態に係るカップ部を有する衣類において、左支持部材２０，６０および右支持部材３０，７０の固定部Ｋを、左カップ部１１，５１および右カップ部１２，５２の胸部中心部分側ではなく脇下部分側に固定し、左支持部材２０，６０および右支持部材３０，７０の着脱部Ｃを、左カップ部１１，５１および右カップ部１２，５２の脇下部分側ではなく胸部中心部分側に設けることも可能である。この場合、左支持部材２０および右支持部材３０の固定部Ｋや着脱部Ｃを左カップ部１１および右カップ部１２の裏面側から表面側に突出させるときには第１スリット２１，３１および第２スリット２２，３２を形成しそれらスリットを通すようにすればよい。
【００７２】
さらには、左支持部材２０，６０に交差する別の左支持部材（図示しない）を設けるとともに、右支持部材３０，７０に交差する別の右支持部材（図示しない）を設けるようにして乳房を支持する力を強化することもできる。左支持部材２０，６０に対して別の左支持部材は、固定部Ｋと着脱部Ｃが逆の位置にあり、右支持部材３０，７０に対して別の右支持部材は固定部Ｋと着脱部Ｃが逆の位置にある。
【００７３】
また、本発明の第一実施形態ではブラジャー１において、左支持部材２０および右支持部材３０が、左カップ部１１および右カップ部１２の裏面側で左側乳房および右側乳房に直に接して左側乳房および右側乳房を下方から支持し上方に持ち上げるようにしたが、左支持部材２０は、左カップ部１１の表面側に接して左側乳房を下方から支持し上方に持ち上げるとともに、一端部である固定部Ｋが、左カップ部１１の脇下部分側に固定され、他端部である着脱部Ｃが、左カップ部１１の胸部中心部分側に設けた受け部Ｕに対して、左側乳房を下方から支持し上方に持ち上げる度合を調節自在でかつ着脱自在に固定されるようにし、右支持部材３０は、右カップ部１２の表面側に接して右側乳房を下方から支持し上方に持ち上げるとともに、一端部である固定部Ｋが、右カップ部１２の脇下部分側に固定され、他端部である着脱部Ｃが、右カップ部１２の胸部中心部分側に設けた受け部Ｕに対して、右側乳房を下方から支持し上方に持ち上げる度合を調節自在でかつ着脱自在に固定されるようにすることもできる。このときの、左支持部材２０および右支持部材３０については柔軟性のある紐片で形成し、受け部Ｕに対する着脱部Ｃの固定を開放した場合、紐片は固定部Ｋを除いて前記両カップ部１１，１２に拘束されることなくかつ垂れるような状態で分離したものとすることができる。
【符号の説明】
【００７４】
１      ブラジャー
５      ブラキャミソール
５ａ    前身頃
５ｂ    後見頃
１０      ブラジャー本体
１１      左カップ部
１２      右カップ部
１３      サイドベルト
１４      肩紐
２０      左支持部材
２１      第１スリット
２２      第２スリット
２５      厚肉部
３０      右支持部材
３１      第１スリット
３２      第２スリット
３５      厚肉部
４０      従来の通常のブラジャー
５０      カップ本体
５１      左カップ部
５２      右カップ部
５３      サイド部
５４      肩紐
６０      左支持部材
６５      厚肉部
７０      右支持部材
７５      厚肉部
Ｃ        着脱部
Ｅ        係合構造
Ｆ        面ファスナー
Ｋ        固定部
Ｓ        密着部
Ｕ        受け部
【要約】
【課題】着用者の乳房を確実に持ち上げ可能なカップ部を有する衣類を提供する。
【解決手段】着用者の胸部中心部分から脇下部分へ左右に位置し、左側乳房および右側乳房を覆って支持する左カップ部１１，右カップ部１２を有し、両カップが胸部中心部分側で連結されたブラジャーで、左カップ部１１の裏面側で左側乳房に直に接して上方に持ち上げ、固定部Ｋが左カップ部１１の胸部中心部分側に固定され、着脱部Ｃが左カップ部１１の脇下部分側に設けた受け部Ｕに、左側乳房を持ち上げる度合を調節自在でかつ着脱自在に固定される左支持部材２０と、右カップ部１２の裏面側で右側乳房に直に接して上方に持ち上げ、固定部Ｋが右カップ部１２の胸部中心部分側に固定され、着脱部Ｃが右カップ部１２の脇下部分側に設けた受け部Ｕに、右側乳房を持ち上げる度合を調節自在でかつ着脱自在に固定される右支持部材３０を備える。
【選択図】図１【図１】
0006644393.tif 000002
【図２】
0006644393.tif 000003
【図３】
0006644393.tif 000004
【図４】
0006644393.tif 000005
【図５】
0006644393.tif 000006
【図６】
0006644393.tif 000007
【図７】
0006644393.tif 000008
【図８】
0006644393.tif 000009
【図９】
0006644393.tif 000010
【図１０】
0006644393.tif 000011
【図１１】
0006644393.tif 000012
【図１２】
0006644393.tif 000013
【図１３】
0006644393.tif 000014